(57)【特許請求の範囲】
【請求項１】
端末装置は複数の時間領域リソースの情報を含む第１指示情報を受信し、前記複数の時間領域リソースのうちの異なる時間領域リソースにおいて、データを伝送するための周波数点は異なることと、
前記端末装置は前記複数の時間領域リソースそれぞれに対応する周波数点に基づき、前記複数の時間領域リソースでデータ伝送を行うことと、を含み、
前記複数の時間領域リソースは第１時間領域リソース及び第２時間領域リソースを含み、前記第１時間領域リソースは、前記端末装置が第１周波数点に基づいて第１ネットワーク装置とデータ伝送を行うことに用いられ、前記第２時間領域リソースは、前記端末装置が第２周波数点に基づいて第２ネットワーク装置とデータ伝送を行うことに用いられ、前記第１ネットワーク装置により保守される第１時間領域リソースと前記第２ネットワーク装置により保守される第２時間領域リソースとの間には重複する時間領域リソースが存在し、
前記端末装置が前記複数の時間領域リソースそれぞれに対応する周波数点に基づき、前記複数の時間領域リソースでデータ伝送を行うことは、
前記端末装置が前記第１周波数点に基づき、前記第１ネットワーク装置により保守される前記第１時間領域リソースで前記第１ネットワーク装置とデータ伝送を行い、前記第２周波数点に基づいて前記重複する時間領域リソースで前記第２ネットワーク装置とデータ伝送を行うことを禁止すること、又は、
前記端末装置が前記第２周波数点に基づき、前記第２ネットワーク装置により保守される前記第２時間領域リソースで前記第２ネットワーク装置とデータ伝送を行い、前記第１周波数点に基づいて前記重複する時間領域リソースで前記第１ネットワーク装置とデータ伝送を行うことを禁止することを含むことを特徴とするデータ伝送方法。
【請求項２】
前記複数の時間領域リソースは時間領域で交互に分布することを特徴とする請求項１に記載の方法。
【請求項３】
前記複数の時間領域リソースの情報は前記複数の時間領域リソースそれぞれの時間領域開始位置を含むことを特徴とする請求項１又は２に記載の方法。
【請求項４】
前記複数の時間領域リソースは１つの時間領域周期を構成し、前記複数の時間領域リソースの情報は前記時間領域周期の長さ、及び前記時間領域周期における前記複数の時間領域リソースそれぞれの相対位置を含むことを特徴とする請求項１又は２に記載の方法。
【請求項５】
前記複数の時間領域リソースのうち各時間領域リソースは複数の時間領域ユニットを含み、前記時間領域ユニットは、
無線フレーム、サブフレーム、タイムスロット、シンボル、伝送時間間隔のうちのいずれかを含むことを特徴とする請求項１〜４のいずれか１項に記載の方法。
【請求項６】
前記複数の時間領域リソース及び／又は重複する時間領域リソースは、前記端末装置と通信する複数のネットワーク装置が協議して確定するものであることを特徴とする請求項１〜５のいずれか１項に記載の方法。
【請求項７】
ネットワーク装置は複数の時間領域リソースの情報を確定し、前記複数の時間領域リソースのうちの異なる時間領域リソースにおいて、データを伝送するための周波数点が異なることと、
前記ネットワーク装置は前記複数の時間領域リソースの情報を含む第１指示情報を端末装置に送信し、それにより前記端末装置が前記複数の時間領域リソースそれぞれに対応する周波数点に基づき、前記複数の時間領域リソースでデータ伝送を行うことと、を含み、
前記複数の時間領域リソースは第１時間領域リソース及び第２時間領域リソースを含み、前記第１時間領域リソースは、前記端末装置が第１周波数点に基づいて第１ネットワーク装置とデータ伝送を行うことに用いられ、前記第２時間領域リソースは、前記端末装置が第２周波数点に基づいて第２ネットワーク装置とデータ伝送を行うことに用いられ、前記第１ネットワーク装置により保守される第１時間領域リソースと前記第２ネットワーク装置により保守される第２時間領域リソースとの間には重複する時間領域リソースが存在し、
前記ネットワーク装置は第１ネットワーク装置であり、前記方法は、
前記第１ネットワーク装置が、前記第１周波数点に基づいて前記重複する時間領域リソースで前記端末装置とデータ伝送を行うことを禁止し、それにより前記端末装置が前記第２周波数点に基づき、前記第２ネットワーク装置により保守される前記第２時間領域リソースで前記第２ネットワーク装置とデータ伝送を行うことを更に含むことを特徴とするデータ伝送方法。
【請求項８】
前記複数の時間領域リソースは時間領域で交互に分布することを特徴とする請求項７に記載の方法。
【請求項９】
前記複数の時間領域リソースの情報は前記複数の時間領域リソースそれぞれの時間領域開始位置を含むことを特徴とする請求項７又は８に記載の方法。
【請求項１０】
前記複数の時間領域リソースは１つの時間領域周期を構成し、前記複数の時間領域リソースの情報は前記時間領域周期の長さ、及び前記時間領域周期における前記複数の時間領域リソースそれぞれの相対位置を含むことを特徴とする請求項７又は８に記載の方法。
【請求項１１】
前記複数の時間領域リソースのうち各時間領域リソースは複数の時間領域ユニットを含み、前記時間領域ユニットは、
無線フレーム、サブフレーム、タイムスロット、シンボル、伝送時間間隔のうちのいずれかを含むことを特徴とする請求項７〜１０のいずれか１項に記載の方法。
【請求項１２】
前記複数の時間領域リソース及び／又は重複する時間領域リソースは、前記端末装置と通信する複数のネットワーク装置が協議して確定するものであり、前記複数のネットワーク装置は前記ネットワーク装置を含むことを特徴とする請求項７〜１１のいずれか１項に記載の方法。
【請求項１３】
複数の時間領域リソースの情報を含む第１指示情報を受信することに用いられ、前記複数の時間領域リソースのうちの異なる時間領域リソースにおいて、データを伝送するための周波数点が異なる、伝送ユニットを備え、
前記伝送ユニットは更に、前記複数の時間領域リソースそれぞれに対応する周波数点に基づき、前記複数の時間領域リソースでデータ伝送を行うことに用いられ、
前記複数の時間領域リソースは第１時間領域リソース及び第２時間領域リソースを含み、前記第１時間領域リソースは、前記端末装置が第１周波数点に基づいて第１ネットワーク装置とデータ伝送を行うことに用いられ、前記第２時間領域リソースは、前記端末装置が第２周波数点に基づいて第２ネットワーク装置とデータ伝送を行うことに用いられ、前記第１ネットワーク装置により保守される第１時間領域リソースと前記第２ネットワーク装置により保守される第２時間領域リソースとの間には重複する時間領域リソースが存在し、
前記伝送ユニットは具体的に、
前記第１周波数点に基づき、前記第１ネットワーク装置により保守される前記第１時間領域リソースで前記第１ネットワーク装置とデータ伝送を行い、前記第２周波数点に基づいて前記重複する時間領域リソースで前記第２ネットワーク装置とデータ伝送を行うことを禁止すること、又は
前記第２周波数点に基づき、前記第２ネットワーク装置により保守される前記第２時間領域リソースで前記第２ネットワーク装置とデータ伝送を行い、前記第１周波数点に基づいて前記重複する時間領域リソースで前記第１ネットワーク装置とデータ伝送を行うことを禁止することに用いられることを特徴とする端末装置。
【請求項１４】
前記複数の時間領域リソースは時間領域で交互に分布することを特徴とする請求項１３に記載の端末装置。
【請求項１５】
前記複数の時間領域リソースの情報は前記複数の時間領域リソースそれぞれの時間領域開始位置を含むことを特徴とする請求項１３又は１４に記載の端末装置。
【請求項１６】
前記複数の時間領域リソースは１つの時間領域周期を構成し、前記複数の時間領域リソースの情報は前記時間領域周期の長さ、及び前記時間領域周期における前記複数の時間領域リソースそれぞれの相対位置を含むことを特徴とする請求項１３又は１４に記載の端末装置。
【請求項１７】
前記複数の時間領域リソースのうち各時間領域リソースは複数の時間領域ユニットを含み、前記時間領域ユニットは、
無線フレーム、サブフレーム、タイムスロット、シンボル、伝送時間間隔のうちのいずれかを含むことを特徴とする請求項１３〜１６のいずれか１項に記載の端末装置。
【請求項１８】
前記複数の時間領域リソースは前記端末装置と通信する複数のネットワーク装置が協議して確定するものであることを特徴とする請求項１３〜１７のいずれか１項に記載の端末装置。
【請求項１９】
複数の時間領域リソースの情報を確定することに用いられ、前記複数の時間領域リソースのうちの異なる時間領域リソースにおいて、データを伝送するための周波数点が異なる、確定ユニットと、
前記複数の時間領域リソースの情報を含む第１指示情報を端末装置に送信し、それにより前記端末装置が前記複数の時間領域リソースそれぞれに対応する周波数点に基づき、前記複数の時間領域リソースでデータ伝送を行うことに用いられる伝送ユニットと、を備え、
前記複数の時間領域リソースは第１時間領域リソース及び第２時間領域リソースを含み、前記第１時間領域リソースは、前記端末装置が第１周波数点に基づいて前記第１ネットワーク装置とデータ伝送を行うことに用いられ、前記第２時間領域リソースは、前記端末装置が第２周波数点に基づいて第２ネットワーク装置とデータ伝送を行うことに用いられ、前記第１ネットワーク装置により保守される第１時間領域リソースと前記第２ネットワーク装置により保守される第２時間領域リソースとの間には重複する時間領域リソースが存在し、
前記ネットワーク装置は第１ネットワーク装置であり、前記伝送ユニットは更に、
前記第１周波数点に基づいて前記重複する時間領域リソースで前記端末装置とデータ伝送を行うことを禁止し、それにより前記端末装置が前記第２周波数点に基づき、前記第２ネットワーク装置により保守される前記第２時間領域リソースで前記第２ネットワーク装置とデータ伝送を行うことに用いられることを特徴とするネットワーク装置。
【請求項２０】
前記複数の時間領域リソースは時間領域で交互に分布することを特徴とする請求項１９に記載のネットワーク装置。
【請求項２１】
前記複数の時間領域リソースの情報は前記複数の時間領域リソースそれぞれの時間領域開始位置を含むことを特徴とする請求項１９又は２０に記載のネットワーク装置。
【請求項２２】
前記複数の時間領域リソースは１つの時間領域周期を構成し、前記複数の時間領域リソースの情報は前記時間領域周期の長さ、及び前記時間領域周期における前記複数の時間領域リソースそれぞれの相対位置を含むことを特徴とする請求項１９又は２０に記載のネットワーク装置。
【請求項２３】
前記複数の時間領域リソースのうち各時間領域リソースは複数の時間領域ユニットを含み、前記時間領域ユニットは、
無線フレーム、サブフレーム、タイムスロット、シンボル、伝送時間間隔のうちのいずれかを含むことを特徴とする請求項１９〜２２のいずれか１項に記載のネットワーク装置。
【請求項２４】
前記複数の時間領域リソース及び／又は重複する時間領域リソースは、前記端末装置と通信する複数のネットワーク装置が協議して確定するものであり、前記複数のネットワーク装置は前記ネットワーク装置を含むことを特徴とする請求項１９〜２３のいずれか１項に記載のネットワーク装置。
【発明の詳細な説明】
【技術分野】
【０００１】
本願の実施例は無線通信分野に関し、具体的に、データ伝送方法、端末装置及びネットワーク装置に関する。
【背景技術】
【０００２】
通信システムでは、端末装置が２つの異なる周波数点においてデータを伝送することをサポートしようとする場合、該端末装置は２つの周波数点においてデータを送受信する能力を有する必要がある。例えば、該端末装置は２セットの独立する無線周波数送受信ユニットを有し、又は該端末装置は十分な帯域幅を備える１セットの無線周波数送受信ユニットを有し、それにより２つの周波数点においてデータを受信又は送信できる。しかしながら、これにより、端末のハードウェアコストが高くなり、端末装置の消費電力が増加する。
【発明の概要】
【発明が解決しようとする課題】
【０００３】
本願の実施例ではデータ伝送方法、端末装置及びネットワーク装置を提供し、端末装置は、端末装置のハードウェアコスト及び消費電力を増加させることなく、異なる周波数点に基づいてデータ伝送を行うことができる。
【課題を解決するための手段】
【０００４】
第１の態様ではデータ伝送方法を提供し、前記データ伝送方法は、
端末装置は複数の時間領域リソースの情報を含む第１指示情報を受信し、前記複数の時間領域リソースのうちの異なる時間領域リソースにおいて、データを伝送するための周波数点は異なることと、
前記端末装置は前記複数の時間領域リソースそれぞれに対応する周波数点に基づき、前記複数の時間領域リソースでデータ伝送を行うことと、を含む。
【０００５】
従って、本願の実施例において、端末装置は、端末装置のハードウェアコスト及び消費電力を増加させることなく、異なる周波数点に基づいてデータ伝送を行うことができる。
【０００６】
１つの可能な実施形態では、前記複数の時間領域リソースは時間領域で交互に分布する。
【０００７】
１つの可能な実施形態では、前記複数の時間領域リソースの情報は前記複数の時間領域リソースそれぞれの時間領域開始位置を含む。
【０００８】
１つの可能な実施形態では、前記複数の時間領域リソースは１つの時間領域周期を構成し、前記複数の時間領域リソースの情報は前記時間領域周期の長さ、及び前記時間領域周期における前記複数の時間領域リソースそれぞれの相対位置を含む。
【０００９】
１つの可能な実施形態では、前記複数の時間領域リソースのうち各時間領域リソースの時間領域の長さは同じ又は異なる。
【００１０】
１つの可能な実施形態では、前記複数の時間領域リソースのうち各時間領域リソースは複数の時間領域ユニットを含み、前記時間領域ユニットは無線フレーム、サブフレーム、タイムスロット、シンボル、伝送時間間隔のうちのいずれかを含む。
【００１１】
１つの可能な実施形態では、前記複数の時間領域リソースに対応する複数の周波数点は、前記端末装置のサービングセルの周波数点及び／又は非サービングセルの周波数点を含む。
【００１２】
１つの可能な実施形態では、前記複数の時間領域リソースは第１時間領域リソース及び第２時間領域リソースを含み、前記第１時間領域リソースは、前記端末装置が第１周波数点に基づいて第１ネットワーク装置とデータ伝送を行うことに用いられ、前記第２時間領域リソースは、前記端末装置が第２周波数点に基づいて第２ネットワーク装置とデータ伝送を行うことに用いられ、前記第１ネットワーク装置により保守される第１時間領域リソースと前記第２ネットワーク装置により保守される第２時間領域リソースとの間には重複する時間領域リソースが存在し、
前記端末装置が前記複数の時間領域リソースそれぞれに対応する周波数点に基づき、前記複数の時間領域リソースでデータ伝送を行うことは、前記端末装置が前記第１周波数点に基づき、前記第１ネットワーク装置により保守される前記第１時間領域リソースで前記第１ネットワーク装置とデータ伝送を行い、前記第２周波数点に基づいて前記重複する時間領域リソースで前記第２ネットワーク装置とデータ伝送を行うことを禁止すること、又は前記端末装置が前記第２周波数点に基づき、前記第２ネットワーク装置により保守される前記第２時間領域リソースで前記第２ネットワーク装置とデータ伝送を行い、前記第１周波数点に基づいて前記重複する時間領域リソースで前記第１ネットワーク装置とデータ伝送を行うことを禁止することを含む。
【００１３】
１つの可能な実施形態では、前記方法は、前記端末装置が前記重複する時間領域リソースの情報を指示するための第２指示情報を受信することを更に含む。
【００１４】
１つの可能な実施形態では、前記重複する時間領域リソースの情報は、前記重複する時間領域リソースの位置及び／又は時間領域の長さを含む。
【００１５】
１つの可能な実施形態では、前記データ伝送はデータの受信及び／又はデータの送信を含む。
【００１６】
１つの可能な実施形態では、前記端末装置が第１指示情報を受信することは、前記端末装置が無線リソース制御ＲＲＣシグナリング、媒体アクセス制御ＭＡＣシグナリング又は物理層シグナリングによって前記第１指示情報を受信することを含む。
【００１７】
１つの可能な実施形態では、前記複数の時間領域リソースの情報は、前記端末装置の専有情報、ベアラタイプ及びロジックチャネルタイプのうちの少なくとも１つに基づいて確定される。
【００１８】
１つの可能な実施形態では、前記複数の時間領域リソース及び／又は重複する時間領域リソースは、前記端末装置と通信する複数のネットワーク装置が協議して確定するものである。
【００１９】
第２の態様ではデータ伝送方法を提供し、前記データ伝送方法は、ネットワーク装置は複数の時間領域リソースの情報を確定し、前記複数の時間領域リソースのうちの異なる時間領域リソースにおいて、データを伝送するための周波数点が異なることと、
前記ネットワーク装置は前記複数の時間領域リソースの情報を含む第１指示情報を端末装置に送信し、それにより前記端末装置が前記複数の時間領域リソースそれぞれに対応する周波数点に基づき、前記複数の時間領域リソースでデータ伝送を行うことと、を含む。
【００２０】
従って、本願の実施例では、ネットワーク装置は異なる周波数点においてデータを伝送するための時間領域リソースを端末装置に設定することにより、端末装置は端末装置のハードウェアコスト及び消費電力を増加させることなく、異なる周波数点に基づいてデータ伝送を行うことができる。
【００２１】
１つの可能な実施形態では、前記複数の時間領域リソースは時間領域で交互に分布する。
【００２２】
１つの可能な実施形態では、前記複数の時間領域リソースの情報は前記複数の時間領域リソースそれぞれの時間領域開始位置を含む。
【００２３】
１つの可能な実施形態では、前記複数の時間領域リソースは１つの時間領域周期を構成し、前記複数の時間領域リソースの情報は前記時間領域周期の長さ、及び前記時間領域周期における前記複数の時間領域リソースそれぞれの相対位置を含む。
【００２４】
１つの可能な実施形態では、前記複数の時間領域リソースのうち各時間領域リソースの時間領域の長さは同じ又は異なる。
【００２５】
１つの可能な実施形態では、前記複数の時間領域リソースのうち各時間領域リソースは複数の時間領域ユニットを含み、前記時間領域ユニットは無線フレーム、サブフレーム、タイムスロット、シンボル、伝送時間間隔のうちのいずれかを含む。
【００２６】
１つの可能な実施形態では、前記複数の時間領域リソースに対応する複数の周波数点は、前記端末装置のサービングセルの周波数点及び／又は非サービングセルの周波数点を含む。
【００２７】
１つの可能な実施形態では、前記複数の時間領域リソースは第１時間領域リソース及び第２時間領域リソースを含み、前記第１時間領域リソースは、前記端末装置が第１周波数点に基づいて前記第１ネットワーク装置とデータ伝送を行うことに用いられ、前記第２時間領域リソースは、前記端末装置が第２周波数点に基づいて第２ネットワーク装置とデータ伝送を行うことに用いられ、前記第１ネットワーク装置により保守される第１時間領域リソースと前記第２ネットワーク装置により保守される第２時間領域リソースとの間には重複する時間領域リソースが存在し、
前記ネットワーク装置は第１ネットワーク装置であり、前記方法は、前記第１ネットワーク装置が、前記第１周波数点に基づいて前記重複する時間領域リソースで前記端末装置とデータ伝送を行うことを禁止し、それにより前記端末装置が前記第２周波数点に基づき、前記第２ネットワーク装置により保守される前記第２時間領域リソースで前記第２ネットワーク装置とデータ伝送を行うことを更に含む。
【００２８】
１つの可能な実施形態では、前記方法は、前記ネットワーク装置は前記重複する時間領域リソースの情報を指示するための第２指示情報を前記端末装置に送信することを更に含む。
【００２９】
１つの可能な実施形態では、前記重複する時間領域リソースの情報は、前記重複する時間領域リソースの位置及び／又は時間領域の長さを含む。
【００３０】
１つの可能な実施形態では、前記データ伝送はデータの受信及び／又はデータの送信を含む。
【００３１】
１つの可能な実施形態では、前記ネットワーク装置が第１指示情報を送信することは、前記ネットワーク装置が無線リソース制御ＲＲＣシグナリング、媒体アクセス制御ＭＡＣシグナリング又は物理層シグナリングによって前記第１指示情報を送信することを含む。
【００３２】
１つの可能な実施形態では、ネットワーク装置が複数の時間領域リソースの情報を確定することは、前記ネットワーク装置が前記端末装置の専有情報、ベアラタイプ及びロジックチャネルタイプのうちの少なくとも１つに基づいて前記複数の時間領域リソースの情報を確定することを含む。
【００３３】
１つの可能な実施形態では、前記複数の時間領域リソース及び／又は重複する時間領域リソースは、前記端末装置と通信する複数のネットワーク装置が協議して確定するものであり、前記複数のネットワーク装置は前記ネットワーク装置を含む。
【００３４】
第３の態様では端末装置を提供し、該端末装置は上記第１の態様又は第１の態様の任意選択可能な実施形態における端末装置の操作を実行できる。具体的に、該端末装置は上記第１の態様又は第１の態様の任意可能な実施形態における端末装置の操作を実行するためのモジュールユニットを備えてもよい。
【００３５】
第４の態様ではネットワーク装置を提供し、該ネットワーク装置は上記第２の態様又は第２の態様の任意選択可能な実施形態におけるネットワーク装置の操作を実行できる。具体的に、該ネットワーク装置は上記第２の態様又は第２の態様の任意可能な実施形態におけるネットワーク装置の操作を実行するためのモジュールユニットを備えてもよい。
【００３６】
第５の態様では、プロセッサ、送受信機及びメモリを備える端末装置を提供する。該プロセッサ、送受信機及びメモリは内部接続経路を介して互いに通信する。該メモリは命令を記憶することに用いられ、該プロセッサは該メモリに記憶されている命令を実行することに用いられる。該プロセッサが該メモリに記憶されている命令を実行するとき、該実行により該端末装置は第１の態様又は第１の態様の任意可能な実施形態における方法を実行し、又は該実行により該端末装置は第３の態様による端末装置を実現する。
【００３７】
第６の態様では、プロセッサ、送受信機及びメモリを備えるネットワーク装置を提供する。該プロセッサ、送受信機及びメモリは内部接続経路を介して互いに通信する。該メモリは命令を記憶することに用いられ、該プロセッサは該メモリに記憶されている命令を実行することに用いられる。該プロセッサが該メモリに記憶されている命令を実行するとき、該実行により該ネットワーク装置は第２の態様又は第２の態様の任意可能な実施形態における方法を実行し、又は該実行により該ネットワーク装置は第４の態様によるネットワーク装置を実現する。
【００３８】
第７の態様では、端末装置に上記第１の態様及びその様々な実施形態のいずれかのデータ伝送方法を実行させるプログラムを記憶しているコンピュータ可読記憶媒体を提供する。
【００３９】
第８の態様では、ネットワーク装置に上記第２の態様及びその様々な実施形態のいずれかのデータ伝送方法を実行させるプログラムを記憶しているコンピュータ可読記憶媒体を提供する。
【００４０】
第９の態様では、入力インタフェース、出力インタフェース、プロセッサ及びメモリを備えるシステムチップを提供し、該プロセッサは該メモリに記憶されている命令を実行することに用いられ、該命令が実行されるとき、該プロセッサは上記第１の態様又は第１の態様の任意可能な実施形態における方法を実現することができる。
【００４１】
第１０の態様では、入力インタフェース、出力インタフェース、プロセッサ及びメモリを備えるシステムチップを提供し、該プロセッサは該メモリに記憶されている命令を実行することに用いられ、該命令が実行されるとき、該プロセッサは上記第２の態様又は第２の態様の任意可能な実施形態における方法を実現することができる。
【００４２】
第１１の態様では、命令を含むコンピュータプログラム製品を提供し、前記コンピュータプログラム製品がコンピュータで実行されるとき、該コンピュータは上記第１の態様又は第１の態様の任意可能な実施形態における方法を実行する。
【００４３】
第１２の態様では、命令を含むコンピュータプログラム製品を提供し、前記コンピュータプログラム製品がコンピュータで実行されるとき、該コンピュータは上記第２の態様又は第２の態様の任意可能な実施形態における方法を実行する。
【図面の簡単な説明】
【００４４】
【図１】図１は本願の実施例の一応用シーンのアーキテクチャ模示図である。
【図２】図２は本願の実施例のデータ伝送方法のフロー模示図である。
【図３】図３は本願の実施例の異なる周波数点に対応する時間領域リソースの模式図である。
【図４】図４は本願の実施例の異なる周波数点に対応する時間領域リソースの模式図である。
【図５】図５は本願の実施例の異なる周波数点に対応する時間領域リソースの模式図である。
【図６】図６は本願の実施例の異なる周波数点に対応する時間領域リソースの模式図である。
【図７】図７は本願の実施例の異なる周波数点に対応する時間領域リソースの模式図である。
【図８】図８は本願の実施例の異なる周波数点に対応する時間領域リソースの模式図である。
【図９】図９は本願の実施例の異なる周波数点に対応する時間領域リソースの模式図である。
【図１０】図１０は本願の実施例の時間差が存在するときの異なる周波数点に対応する時間領域リソースの模式図である。
【図１１】図１１は本願の実施例の時間差が存在するときの異なる周波数点に対応する時間領域リソースの模式図である。
【図１２】図１２は本願の実施例のデータ伝送方法のフロー模式図である。
【図１３】図１３は本願の実施例の端末装置のブロック模式図である。
【図１４】図１４は本願の実施例のネットワーク装置のブロック模示図である。
【図１５】図１５は本願の実施例の端末装置の構造模式図である。
【図１６】図１６は本願の実施例のネットワーク装置の構造模示図である。
【図１７】図１７は本願の実施例のシステムチップの構造模示図である。
【発明を実施するための形態】
【００４５】
以下、図面を参照しながら、本願の実施例の技術案を説明する。
【００４６】
なお、本願の実施例の技術案は、例えば、グローバル移動通信（Ｇｌｏｂａｌ  Ｓｙｓｔｅｍ  ｏｆ  Ｍｏｂｉｌｅ  Ｃｏｍｍｕｎｉｃａｔｉｏｎ、ＧＳＭ）システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、ロングタームエボリューション（Ｌｏｎｇ  Ｔｅｒｍ  Ｅｖｏｌｕｔｉｏｎ、ＬＴＥ）システム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）、ユニバーサル移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）、及び将来の５Ｇ通信システム等の様々な通信システムに適用できる。
【００４７】
本願は端末装置と組み合わせて各実施例を説明する。端末装置は、ユーザ装置（Ｕｓｅｒ  Ｅｑｕｉｐｍｅｎｔ、ＵＥ）、アクセス端末、ユーザユニット、ユーザステーション、移動局、モバイルステーション、遠方局、遠隔端末、移動装置、ユーザ端末、端末、無線通信装置、ユーザエージェント又はユーザデバイスであってもよい。アクセス端末は、セルラー電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、無線ローカルループ（Ｗｉｒｅｌｅｓｓ  Ｌｏｃａｌ  Ｌｏｏｐ、ＷＬＬ）ステーション、パーソナルデジタルアシスタント（Ｐｅｒｓｏｎａｌ  Ｄｉｇｉｔａｌ  Ａｓｓｉｓｔａｎｔ、ＰＤＡ）、無線通信機能を有するハンドヘルドデバイス、コンピューティングデバイス又は無線モデムに接続された他の処理装置、車載装置、ウェアラブルデバイス、将来５Ｇネットワーク内の端末装置又は将来の進化型公衆陸上移動体ネットワーク（Ｐｕｂｌｉｃ  Ｌａｎｄ  Ｍｏｂｉｌｅ  Ｎｅｔｗｏｒｋ、ＰＬＭＮ）内の端末装置等であってもよい。
【００４８】
本願はネットワーク装置と組み合わせて各実施例を説明する。ネットワーク装置は端末装置と通信するための装置であってもよく、例えば、ＧＳＭシステム又はＣＤＭＡ内の基地局（Ｂａｓｅ  Ｔｒａｎｓｃｅｉｖｅｒ  Ｓｔａｔｉｏｎ、ＢＴＳ）であってもよく、ＷＣＤＭＡシステム内の基地局（ＮｏｄｅＢ、ＮＢ）であってもよく、更にＬＴＥシステム内の進化型基地局（Ｅｖｏｌｕｔｉｏｎａｌ  Ｎｏｄｅ  Ｂ、ｅＮＢ又はｅＮｏｄｅＢ）であってもよく、又は該ネットワーク装置は、中継局、アクセスポイント、車載装置、ウェアラブルデバイス及び将来５Ｇネットワーク内のネットワーク側装置又は将来の進化型ＰＬＭＮネットワーク内のネットワーク側装置等であってもよい。
【００４９】
図１は本願の実施例の一応用シーンの模式図である。図１の通信システムはネットワーク装置１０と端末装置２０を備えてもよい。ネットワーク装置１０は端末装置２０に通信サービスを提供してコアネットワークにアクセスすることに用いられ、端末装置２０はネットワーク装置１０から送信された同期信号、放送信号等を検索することによってネットワークにアクセスすることができ、それによりネットワークとの通信を行う。図１に示される矢印は端末装置２０とネットワーク装置１０との間のセルラーリンクによるアップリンク／ダウンリンク伝送を示すことができる。
【００５０】
本願の実施例におけるネットワークは、公衆陸上移動体ネットワーク（Ｐｕｂｌｉｃ  Ｌａｎｄ  Ｍｏｂｉｌｅ  Ｎｅｔｗｏｒｋ、ＰＬＭＮ）又は装置対装置（Ｄｅｖｉｃｅ  ｔｏ  Ｄｅｖｉｃｅ、Ｄ２Ｄ）ネットワーク又はマシンツーマシン／マン（Ｍａｃｈｉｎｅ  ｔｏ  Ｍａｃｈｉｎｅ／Ｍａｎ、Ｍ２Ｍ）ネットワーク又は他のネットワークであってもよく、図１は例示の簡略化模式図に過ぎず、ネットワークには他の端末装置が備えられてもよく、図１に図示しない。
【００５１】
図２は本願の実施例のデータ伝送方法のフロー模式図である。図２に示される方法は端末装置により実行されてもよく、該端末装置は、例えば図１に示される端末装置２０であってもよい。図２に示すように、該データ伝送方法は以下の２１０と２２０を含む。
【００５２】
２１０において、端末装置は複数の時間領域リソースの情報を含む第１指示情報を受信し、該複数の時間領域リソースのうちの異なる時間領域リソースにおいて、データを伝送するための周波数点は異なる。
【００５３】
２２０において、端末装置は該複数の時間領域リソースそれぞれに対応する周波数点に基づき、該複数の時間領域リソースでデータ伝送を行う。
【００５４】
具体的に、端末装置はネットワーク装置の指示情報を受信し、該指示情報内の複数の時間領域リソースの情報に基づき、異なる時間領域リソースにおいてデータを伝送するための周波数点を確定し、それにより、該複数の時間領域リソースそれぞれに対応する周波数点に基づき、該複数の時間領域リソースでデータ伝送を行う。つまり、端末装置は異なる周波数点に基づいてデータ伝送を行うときに、異なる時間領域リソースを用いる。
【００５５】
従って、本願の実施例では、端末装置は、端末装置のハードウェアコスト及び消費電力を増加させることなく、異なる周波数点に基づいてデータ伝送を効果的に行うことができる。
【００５６】
なお、周波数点は、例えば変調信号の中心周波数であってもよく、ある周波数点は該周波数点を中心周波数とする１つの周波数範囲として理解することができる。例えば、周波数間隔をいずれも２００ＫＨｚとし、２００ＫＨｚの周波数間隔に応じて分割する場合、８９０ＭＨｚ、８９０．２ＭＨｚ、８９０．４ＭＨｚ、８９０．６ＭＨｚ、８９０．８ＭＨｚ、８９１ＭＨｚ、…、９１５ＭＨｚの計１２５個の無線周波数帯域がある。端末装置は異なるアクセスネットワーク装置と通信でき、且つ異なるアクセスネットワーク装置が信号を伝送するときに用いる信号周波数は異なる場合、端末装置は異なる周波数点に基づいて異なるネットワーク装置から送信された対応する周波数の信号を受信すべきである。従来技術の端末装置は２セットの独立する無線周波数送受信ユニットを設置して異なる周波数の信号を受信又は送信できるが、このように端末のハードウェアコストが高くなり、端末装置の消費電力が増加する。本願の実施例の端末装置が異なる周波数点に基づいてデータを受信又は送信するときに用いる時間領域リソースは異なるため、端末装置のハードウェアコスト及び消費電力を増加させることなく、異なる周波数点に基づいてデータ伝送を効果的に行うことができる。
【００５７】
選択肢として、第１リソース指示情報が指示する複数の時間領域リソースは時間領域で交互に分布する。
【００５８】
例えば、図３に示すように、２つの周波数点を例として、端末装置は周波数点Ｆ１に基づいて時間領域リソースＴ１でデータを伝送し、端末装置は周波数点Ｆ２に基づいて時間領域リソースＴ２でデータを伝送する。
【００５９】
なお、時間領域リソースＴ１と時間領域リソースＴ２は１つの時間領域周期を構成することができ、このような各時間領域周期内に、端末装置は同じ方式で異なる周波数点に基づいてデータ伝送を行うことができる。例えば、時間領域リソースＴ１及びＴ２はいずれも１つのタイムスロットに等しく、該時間領域周期は１つのサブフレーム（２つのタイムスロットを含む）に等しくなる。端末装置は、各サブフレームの１番目のタイムスロットにおいて、周波数点Ｆ１に基づいて時間領域リソースＴ１でデータを受信又は送信し、各サブフレームの２番目のタイムスロットにおいて、周波数点Ｆ２に基づいて時間領域リソースＴ２でデータを受信又は送信する。
【００６０】
選択肢として、該複数の時間領域リソースのうち各時間領域リソースは複数の時間領域ユニットを含み、該時間領域ユニットは、無線フレーム、サブフレーム、タイムスロット、シンボル、伝送時間間隔（Ｔｒａｎｓｍｉｓｓｉｏｎ  Ｔｉｍｅ  Ｉｎｔｅｒｖａｌ、ＴＴＩ）のうちのいずれかを含む。
【００６１】
なお、本願の実施例におけるデータ伝送は、データの受信を含んでもよく、データの送信を含んでもよく、又はデータの受信及び送信を同時に含んでもよい。ネットワーク装置はデータの受信及びデータの送信に基づいてそれぞれ時間領域リソースの割り当てを行い、端末装置にデータ受信用の時間領域リソースと周波数点との対応関係を指示し、データ送信用の時間領域リソースと周波数点との対応関係を指示することができる。ネットワーク装置は更に、データの受信及び送信に基づいて時間領域リソースの割り当てを同時に行い、端末装置にデータ送受信用の時間領域リソースと周波数点との対応関係を指示することができる。
【００６２】
なお、本願の実施例では、端末装置が異なる周波数点に基づいてデータ伝送を行うときに、伝送するデータはサービスデータ、シグナリングデータ又は他のタイプのデータを含んでもよい。つまり、本願の実施例に記載のデータ伝送はサービスデータ、制御シグナリング、参照信号等のいずれかタイプのデータの受信及び送信であってもよく、本願はこれを限定しない。
【００６３】
なお、本願の実施例における端末装置は複数の周波数点でのデータ伝送をサポートすることができ、以下、２つの周波数点Ｆ１及びＦ２又は４つの周波数点Ｆ１、Ｆ２、Ｆ３及びＦ４を例として説明するが、本願はこれに限定されない。
【００６４】
例えば、図３に示すように、端末装置が２つの周波数点Ｆ１及びＦ２でのデータ伝送をサポートできると仮定し、ネットワーク装置は、時間領域リソースＴ１で周波数点Ｆ１に基づいてデータ伝送を行い、時間領域リソースＴ２で周波数点Ｆ２に基づいてデータ伝送を行い、周波数点Ｆ１及び周波数点Ｆ２を交互に用いるように端末装置に指示する。
【００６５】
該第１指示情報は具体的に２つの方式で複数の周波数点に対応する複数の時間領域リソースの位置を指示することができる。方式１及び方式２では、該複数の時間領域リソースのうち各時間領域リソースの時間領域の長さは同じか又は異なってもよい。
【００６６】
方式１
選択肢として、該複数の時間領域リソースの情報は該複数の時間領域リソースそれぞれの時間領域開始位置を含む。
【００６７】
例えば、図４に示すように、第１指示情報は２つの時間領域リソース（Ｔ１及びＴ２）の情報を含み、２つの時間領域リソース（Ｔ１及びＴ２）はそれぞれ２つの周波数点（Ｆ１及びＦ２）に対応する。該第１指示情報はＴ１及びＴ２の時間領域開始位置を指示し、例えば、Ｔ１は各タイムスロットのシンボル０から開始し、Ｔ２は各タイムスロットのシンボル３から開始する。
【００６８】
また例えば、図５に示すように、第１指示情報は、それぞれ４つの周波数点（Ｆ１、Ｆ２、Ｆ３及びＦ４）に対応する４つの時間領域リソース（Ｔ１、Ｔ２、Ｔ３及びＴ４）の情報を含み、該第１指示情報はＴ１、Ｔ２、Ｔ３及びＴ４の時間領域開始位置を指示することができ、例えば、Ｔ１は各サブフレームの１番目のタイムスロットのシンボル０から開始し、Ｔ２は各サブフレームの１番目のタイムスロットのシンボル３から開始し、Ｔ３は各サブフレームの２番目のタイムスロットのシンボル０から開始し、Ｔ４は各サブフレームの２番目のタイムスロットのシンボル３から開始する。
【００６９】
方式２
選択肢として、該複数の時間領域リソースは１つの時間領域周期を構成し、該複数の時間領域リソースの情報は該時間領域周期の長さ、及び該時間領域周期における該複数の時間領域リソースそれぞれの相対位置を含む。
【００７０】
選択肢として、該複数の時間領域リソースの長さが完全に同じではない場合、該複数の時間領域リソースの情報は該複数の時間領域リソースそれぞれの長さ及びそれぞれの時間順序を含んでもよい。
【００７１】
例えば、図６に示すように、第１指示情報は２つの時間領域リソース、即ちＴ１及びＴ２の情報を含み、時間領域リソースＴ１と時間領域リソースＴ２は時間領域の長さが同じであり、時間領域リソースＴ１と時間領域リソースＴ２は１つの時間領域周期を構成する。時間領域リソースＴ１は該時間領域周期の前半の時間長さを占用し、時間領域リソースＴ２は該時間領域周期の後半の時間長さを占用する。第１指示情報における２つの時間領域リソースの情報は該時間領域周期の長さ、及び該時間領域周期における時間領域リソースＴ１及び時間領域リソースＴ２それぞれの相対位置を含む。
【００７２】
また例えば、図７に示すように、第１指示情報は４つの時間領域リソース、即ちＴ１、Ｔ２、Ｔ３、Ｔ４の情報を含み、時間領域リソースＴ１〜時間領域リソースＴ４は時間領域の長さが同じであり、時間領域リソースＴ１〜時間領域リソースＴ４は１つの時間領域周期を構成し、例えば、該時間領域周期の長さは２つのサブフレームの長さに等しく、且つ４つの時間領域リソースの時間順序はＴ１、Ｔ２、Ｔ３、Ｔ４である。つまり、時間領域リソースＴ１及び時間領域リソースＴ２は該時間領域周期の前のサブフレーム、例えばサブフレーム０を占用し、時間領域リソースＴ３及び時間領域リソースＴ４は該時間領域周期の後のサブフレーム、例えばサブフレーム１を占用し、且つ時間領域リソースＴ１はサブフレーム０における１番目のタイムスロット、即ちタイムスロット０を占用し、時間領域リソースＴ２はサブフレーム０における２番目のタイムスロット、即ちタイムスロット１を占用し、時間領域リソースＴ３はサブフレーム１における１番目のタイムスロット、即ちタイムスロット０を占用し、時間領域リソースＴ４はサブフレーム１における２番目のタイムスロット、即ちタイムスロット１を占用する。第１指示情報における４つの時間領域リソースの情報は該時間領域周期の長さ、及び該時間領域周期における時間領域リソースＴ１〜時間領域リソースＴ４それぞれの相対位置を含む。
【００７３】
選択肢として、該複数の時間領域リソースに対応する複数の周波数点は端末装置のサービングセルの周波数点及び／又は非サービングセルの周波数点を含む。
【００７４】
例えば、図３に示すように、Ｆ１は該端末装置のサービングセルの周波数点であってもよく、端末装置は周波数点Ｆ１に基づいて該サービングセル内のネットワーク装置とデータ伝送を行う。Ｆ２は該端末装置の１つの隣接セルの周波数点であってもよく、端末装置は周波数点Ｆ２に基づき、隣接セル内のネットワーク装置とデータ伝送を行うことができる。
【００７５】
しかし、サービングセルと該隣接セルが同期していない場合、即ち２つのセルの時間が完全に揃わない場合、端末装置のデータ伝送には異なる周波数点間の干渉が発生するという問題は存在している。つまり、サービングセルにより保守される時間領域リソースＴ１と該隣接セルにより保守される時間領域リソースＴ１との間には時間差が存在し、サービングセルにより保守される時間領域リソースＴ２と該隣接セルにより保守される時間領域リソースＴ２との間にも時間差が存在する。それでは、端末装置は周波数点Ｆ１から周波数点Ｆ２へ切り替える場合、サービングセルにより保守される第１時間領域リソースから隣接セルにより保守される第２時間領域リソースに切り替えてデータを伝送する必要があり、それにより、サービングセルにより保守される第１時間領域リソースと隣接セルにより保守される第２時間領域リソースには重複が存在するため、周波数点Ｆ１とＦ２の間のデータ伝送の干渉を引き起こす。
【００７６】
従って、本願の実施例はこの非同期による干渉問題を以下の方式で解決する。
【００７７】
選択肢として、該複数の時間領域リソースは第１時間領域リソース及び第２時間領域リソースを含み、該第１時間領域リソースは、端末装置が第１周波数点に基づいて第１ネットワーク装置とデータ伝送を行うことに用いられ、該第２時間領域リソースは、端末装置が第２周波数点に基づいて第２ネットワーク装置とデータ伝送を行うことに用いられ、該第１ネットワーク装置により保守される第１時間領域リソースと該第２ネットワーク装置により保守される第２時間領域リソースとの間には重複する時間領域リソースが存在し、
端末装置が該複数の時間領域リソースそれぞれに対応する周波数点に基づき、該複数の時間領域リソースでデータ伝送を行うことは、
端末装置が該第１周波数点に基づき、該第１ネットワーク装置により保守される該第１時間領域リソースで該第１ネットワーク装置とデータ伝送を行い、該第２周波数点に基づいて該重複する時間領域リソースで該第２ネットワーク装置とデータ伝送を行うことを禁止すること、又は、
端末装置が該第２周波数点に基づき、該第２ネットワーク装置により保守される該第２時間領域リソースで該第２ネットワーク装置とデータ伝送を行い、該第１周波数点に基づいて該重複する時間領域リソースで該第１ネットワーク装置とデータ伝送を行うことを禁止することを含む。
【００７８】
具体的に、端末装置が受信した第１指示情報は複数の時間領域リソースの情報を含み、これらの複数の時間領域リソースのうちの任意の２つの時間領域リソース、即ち時間領域リソースＴ１及び時間領域リソースＴ２はそれぞれ周波数点Ｆ１及び周波数点Ｆ２に対応し、時間領域リソースＴ１は、端末装置が周波数点Ｆ１に基づいて第１ネットワーク装置とデータ伝送を行うことに用いられ、時間領域リソースＴ２は、端末装置が周波数点Ｆ２に基づいて第２ネットワーク装置とデータ伝送を行うことに用いられ、第１ネットワーク装置及び第２ネットワーク装置は、例えば、それぞれ２つのセル（例えば、サービングセル及び隣接セル）内のアクセスネットワーク装置であってもよい。第１ネットワーク装置と第２ネットワーク装置との時間が同期している場合、端末装置は時間領域リソースＴ１で周波数点Ｆ１に基づいて第１ネットワーク装置とデータ伝送を行い、時間領域リソースＴ２で周波数点Ｆ２に基づいて第２ネットワーク装置とデータ伝送を行う。
【００７９】
例えば、図８に示すように、第１ネットワーク装置及び第２ネットワーク装置における時間領域リソースＴ１及び時間領域リソースＴ２は時間上で揃い、端末装置は時間領域リソースＴ１で第１周波数点に基づいて第１ネットワーク装置とデータを伝送した後、周波数点Ｆ２に直接に切り替え、時間領域リソースＴ２で第２ネットワーク装置とデータ伝送を行う。
【００８０】
しかし、第１ネットワーク装置と第２ネットワーク装置は時間が同期していない場合、第１ネットワーク装置及び第２ネットワーク装置における時間領域リソースＴ１と時間領域リソースＴ２には時間上で時間差が存在する。例えば、図９に示される時間領域リソースでは、第１ネットワーク装置により保守される第１時間領域リソースと第２ネットワーク装置により保守される第２時間領域リソースとの間には重複する時間領域リソースが存在する。もし端末装置は依然として、時間領域リソースＴ１で第１周波数点に基づいて第１ネットワーク装置とデータを伝送した後、周波数点Ｆ２に切り替えて第２ネットワーク装置とデータ伝送を行えば、重複する時間領域リソースには周波数点Ｆ１に基づくデータ伝送及び周波数点Ｆ２に基づくデータ伝送が同時に存在する恐れがあり、例えば、第１ネットワーク装置はそれにより保守される第１時間領域リソースで端末装置にデータを送信するが、第２ネットワーク装置もそれにより保守される第２時間領域リソースで端末装置にデータを送信する場合、重複する時間領域リソースには互いの干渉が存在する。
【００８１】
本願の実施例では、端末装置は該第１周波数点に基づき、該第１ネットワーク装置により保守される該第１時間領域リソースで該第１ネットワーク装置とデータ伝送を行うが、該第２周波数点に基づいて該重複する時間領域リソースで該第２ネットワーク装置とデータ伝送を行わない。又は、端末装置は、該第１周波数点に基づいて該重複する時間領域リソースで該第１ネットワーク装置とデータ伝送を行うことなく、該第２周波数点に基づき、該第２ネットワーク装置により保守される該第２時間領域リソースで該第２ネットワーク装置とデータ伝送を行う。
【００８２】
例えば、図１０に示される時間領域リソースでは、第１ネットワーク装置の保守時間が第２ネットワーク装置の保守時間よりも早く、時間差はＴ３である。従って、第１ネットワーク装置により保守される第１時間領域リソースと第２ネットワーク装置により保守される第２時間領域リソースとの重複する時間領域リソースのサイズはＴ３である。端末装置は第１周波数点に基づき、該第１ネットワーク装置により保守される第１時間領域リソースで、第１ネットワーク装置とデータを伝送してもよく、且つ時間領域リソースＴ３で、第２ネットワーク装置は端末装置をスケジューリングしてデータ伝送を行うことはない。又は、図１１に示すように、端末装置は第１周波数点に基づき、該第１ネットワーク装置により保守される第１時間領域リソースにおけるＴ３以外の時間領域リソースで、第１ネットワーク装置とデータを伝送してもよく、即ち第１ネットワーク装置は端末装置をスケジューリングして時間領域リソースＴ３でデータ伝送を行うことはなく、それにより、端末装置は第２ネットワーク装置により保守される第２時間領域リソースで、第２ネットワーク装置のスケジューリングしたデータを正常に送受信することができる。
【００８３】
選択肢として、該方法は、端末装置は該重複する時間領域リソースの情報を指示するための第２指示情報を受信することを更に含む。該重複する時間領域リソースの情報は該重複する時間領域リソースの位置及び／又は時間領域の長さを含み、該重複する時間領域リソースは、例えば図１０又は図１１の時間領域リソースＴ３を指示する。
【００８４】
該時間領域リソースの位置は該重複する時間領域リソースの開始シンボル位置及び／又は末端シンボル位置を含んでもよい。端末装置は該開始シンボル位置及び時間領域の長さに基づいて重複する時間領域リソースを確定することができ、又は開始シンボル位置及び末端シンボル位置に基づいて該重複する時間領域リソースを確定することができ、又は該時間領域の長さのみに基づいて該重複する時間領域リソースを確定することができ、例えば、重複する時間領域リソースの時間領域の長さが２つの時間領域シンボルに等しい場合、第１時間領域リソースの末端の２つの時間領域シンボルは第２時間領域リソースと重複する時間領域リソースであり、第２時間領域リソースの最初の２つの時間領域シンボルは第１時間領域リソースと重複する時間領域シンボルである。
【００８５】
選択肢として、該複数の時間領域リソース及び／又は該重複する時間領域リソースは、端末装置と通信する複数のネットワーク装置が協議して確定するものである。該複数のネットワーク装置は、例えば、上記第１ネットワーク装置、第２ネットワーク装置、及び他のネットワーク装置を含んでもよい。これらの複数のネットワーク装置は該複数の時間領域リソースを共同で決定することができ、且つそのうち任意の１つ又は複数のネットワーク装置によって該第１指示情報を介して末装置に送信することができる。
【００８６】
なお、本願の実施例では、該複数の時間領域リソースの情報はリソースパターン（ｐａｔｔｅｒｎ）と呼ばれてもよい。端末装置は該パターンに応じて、異なる周波数点に基づいてデータ受信及び／又は送信を行うことができる。
【００８７】
選択肢として、該データ伝送はデータの受信及び／又はデータの送信を含む。
【００８８】
選択肢として、端末装置が第１指示情報を受信することは、端末装置が無線リソース制御（Ｒａｄｉｏ  Ｒｅｓｏｕｒｃｅ  Ｃｏｎｔｒｏｌ、ＲＲＣ）シグナリング、媒体アクセス制御（Ｍｅｄｉｕｍ  Ａｃｃｅｓｓ  Ｃｏｎｔｒｏｌ、ＭＡＣ）シグナリング又は物理層シグナリングによって該第１指示情報を受信することを含む。
【００８９】
選択肢として、該複数の時間領域リソースの情報は、端末装置の専有情報、ベアラタイプ及びロジックチャネルタイプのうちの少なくとも１つに基づいて確定される。端末装置の専有情報は、例えば、端末装置のサービス情報、端末装置の優先度情報及び端末装置の装置情報等である。
【００９０】
図１２は本願の実施例のデータ伝送方法のフロー模式図である。図１２に示される方法はネットワーク装置により実行されてもよく、該ネットワーク装置は、例えば図１に示されるネットワーク装置１０であってもよい。図１２に示すように、該データ伝送方法は以下の１２１０と１２２０を含む。
【００９１】
１２１０において、ネットワーク装置は複数の時間領域リソースの情報を確定し、前記複数の時間領域リソースのうちの異なる時間領域リソースにおいて、データを伝送するための周波数点は異なる。
【００９２】
１２２０において、前記ネットワーク装置は前記複数の時間領域リソースの情報を含む第１指示情報を端末装置に送信し、それにより前記端末装置は前記複数の時間領域リソースそれぞれに対応する周波数点に基づき、前記複数の時間領域リソースでデータ伝送を行う。
【００９３】
具体的に、ネットワーク装置は異なる周波数点においてデータを伝送するのに用いた異なる時間領域リソースの位置を確定して、端末装置に指示情報を送信し、それにより、端末装置は該指示情報内の複数の時間領域リソースの情報に基づき、異なる時間領域リソースにおいてデータを伝送するための周波数点を確定して、該複数の時間領域リソースそれぞれに対応する周波数点に基づき、該複数の時間領域リソースでデータ伝送を行う。つまり、端末装置は異なる周波数点に基づいてデータ伝送を行うときに、用いる時間領域リソースは異なる。
【００９４】
従って、本願の実施例では、ネットワーク装置は異なる周波数点においてデータを伝送するための時間領域リソースを端末装置に設定することにより、端末装置は端末装置のハードウェアコスト及び消費電力を増加させることなく、異なる周波数点に基づいてデータ伝送を行うことができる。
【００９５】
選択肢として、前記複数の時間領域リソースは時間領域で交互に分布する。
【００９６】
選択肢として、前記複数の時間領域リソースの情報は前記複数の時間領域リソースそれぞれの時間領域開始位置を含む。
【００９７】
選択肢として、前記複数の時間領域リソースの情報は前記複数の時間領域リソースそれぞれの時間領域の長さ、及び前記複数の時間領域リソースそれぞれの相対位置を含む。
【００９８】
選択肢として、前記複数の時間領域リソースのうち各時間領域リソースの時間領域の長さは同じ又は異なる。
【００９９】
選択肢として、前記複数の時間領域リソースのうち各時間領域リソースは複数の時間領域ユニットを含み、前記時間領域ユニットは無線フレーム、サブフレーム、タイムスロット、シンボル、伝送時間間隔のうちのいずれかを含む。
【０１００】
選択肢として、前記複数の時間領域リソースに対応する複数の周波数点は、前記端末装置のサービングセルの周波数点及び／又は非サービングセルの周波数点を含む。
【０１０１】
選択肢として、前記複数の時間領域リソースは第１時間領域リソース及び第２時間領域リソースを含み、前記第１時間領域リソースは、前記端末装置が第１周波数点に基づいて前記第１ネットワーク装置とデータ伝送を行うことに用いられ、前記第２時間領域リソースは、前記端末装置が第２周波数点に基づいて第２ネットワーク装置とデータ伝送を行うことに用いられ、前記第１ネットワーク装置により保守される第１時間領域リソースと前記第２ネットワーク装置により保守される第２時間領域リソースとの間には重複する時間領域リソースが存在し、
前記ネットワーク装置は第１ネットワーク装置であり、前記方法は、前記第１ネットワーク装置が、前記第１周波数点に基づいて前記重複する時間領域リソースで前記端末装置とデータ伝送を行うことを禁止し、それにより前記端末装置が前記第２周波数点に基づき、前記第２ネットワーク装置により保守される前記第２時間領域リソースで前記第２ネットワーク装置とデータ伝送を行うことを更に含む。
【０１０２】
具体的に、第１ネットワーク装置の位置するセルと第２ネットワーク装置の位置するセルとの時間が同期していない場合、第１ネットワーク装置により保守される第１時間領域リソースと第２ネットワーク装置により保守される第２時間領域リソースとの間には時間差が存在し、即ち第１時間領域リソースと第２時間領域リソースとの間には重複する時間領域リソース、例えば図１０及び図１１に示される時間領域リソースＴ３が存在する。このとき、第１ネットワーク装置は該重複する領域で端末装置のデータ伝送をスケジューリングすることはなく、端末装置に該重複する時間領域リソースで第２周波数点に基づいて第２ネットワーク装置とデータ伝送を行わせる。又は第２ネットワーク装置は該重複する領域で端末装置のデータ伝送をスケジューリングすることはなく、端末装置に該重複する時間領域リソースで第１周波数点に基づいて第１ネットワーク装置とデータ伝送を行わせる。
【０１０３】
選択肢として、前記方法は、前記ネットワーク装置は前記重複する時間領域リソースの情報を指示するための第２指示情報を前記端末装置に送信することを更に含む。
【０１０４】
選択肢として、前記重複する時間領域リソースの情報は、前記重複する時間領域リソースの位置及び／又は時間領域の長さを含む。
【０１０５】
選択肢として、前記データ伝送はデータの受信及び／又はデータの送信を含む。
【０１０６】
選択肢として、前記ネットワーク装置が第１指示情報を送信することは、前記ネットワーク装置が無線リソース制御ＲＲＣシグナリング、媒体アクセス制御ＭＡＣシグナリング又は物理層シグナリングによって前記第１指示情報を送信することを含む。
【０１０７】
選択肢として、ネットワーク装置が複数の時間領域リソースの情報を確定することは、前記ネットワーク装置が前記端末装置の専有情報、ベアラタイプ及びロジックチャネルタイプのうちの少なくとも１つに基づいて前記複数の時間領域リソースの情報を確定することを含む。
【０１０８】
選択肢として、前記複数の時間領域リソース及び／又は重複する時間領域リソースは、前記端末装置と通信する複数のネットワーク装置が協議して確定するものであり、前記複数のネットワーク装置は前記ネットワーク装置を含む。
【０１０９】
なお、ネットワーク装置と端末装置との間の該データ伝送の過程は具体的に前述図２〜図１１の端末装置の関連説明を参照することができ、簡潔のために、ここで繰り返して説明しない。
【０１１０】
なお、本願の各実施例では、上記各過程の番号の大きさは実行順序の前後を意味せず、各過程の実行順序はその機能及び内部ロジックにより決められ、本願の実施例の実施過程を限定しない。
【０１１１】
図１３は本願の実施例による端末装置１３００のブロック模式図である。図１３に示すように、該端末装置１３００は伝送ユニット１３１０を備え、該伝送ユニット１３１０は、
複数の時間領域リソースの情報を含む第１指示情報を受信し、前記複数の時間領域リソースのうちの異なる時間領域リソースにおいて、データを伝送するための周波数点は異なることと、
前記複数の時間領域リソースそれぞれに対応する周波数点に基づき、前記複数の時間領域リソースでデータ伝送を行うことと、に用いられる。
【０１１２】
従って、本願の実施例では、端末装置は端末装置のハードウェアコスト及び消費電力を増加させることなく、異なる周波数点に基づいてデータ伝送を行うことができる。
【０１１３】
選択肢として、前記複数の時間領域リソースは時間領域で交互に分布する。
【０１１４】
選択肢として、前記複数の時間領域リソースの情報は前記複数の時間領域リソースそれぞれの時間領域開始位置を含む。
【０１１５】
選択肢として、前記複数の時間領域リソースは１つの時間領域周期を構成し、前記複数の時間領域リソースの情報は前記時間領域周期の長さ、及び前記時間領域周期における前記複数の時間領域リソースそれぞれの相対位置を含む。
【０１１６】
選択肢として、前記複数の時間領域リソースのうち各時間領域リソースの時間領域の長さは同じ又は異なる。
【０１１７】
選択肢として、前記複数の時間領域リソースのうち各時間領域リソースは複数の時間領域ユニットを含み、前記時間領域ユニットは無線フレーム、サブフレーム、タイムスロット、シンボル、伝送時間間隔のうちのいずれかを含む。
【０１１８】
選択肢として、前記複数の時間領域リソースに対応する複数の周波数点は、前記端末装置のサービングセルの周波数点及び／又は非サービングセルの周波数点を含む。
【０１１９】
選択肢として、前記複数の時間領域リソースは第１時間領域リソース及び第２時間領域リソースを含み、前記第１時間領域リソースは、前記端末装置が第１周波数点に基づいて第１ネットワーク装置とデータ伝送を行うことに用いられ、前記第２時間領域リソースは、前記端末装置が第２周波数点に基づいて第２ネットワーク装置とデータ伝送を行うことに用いられ、前記第１ネットワーク装置により保守される第１時間領域リソースと前記第２ネットワーク装置により保守される第２時間領域リソースとの間には重複する時間領域リソースが存在し、
前記伝送ユニット１３１０は具体的に、
前記第１周波数点に基づき、前記第１ネットワーク装置により保守される前記第１時間領域リソースで前記第１ネットワーク装置とデータ伝送を行い、前記第２周波数点に基づいて前記重複する時間領域リソースで前記第２ネットワーク装置とデータ伝送を行うことを禁止すること、又は、
前記第２周波数点に基づき、前記第２ネットワーク装置により保守される前記第２時間領域リソースで前記第２ネットワーク装置とデータ伝送を行い、前記第１周波数点に基づいて前記重複する時間領域リソースで前記第１ネットワーク装置とデータ伝送を行うことを禁止することに用いられる。
【０１２０】
選択肢として、前記伝送ユニット１３１０は更に、前記重複する時間領域リソースの情報を指示するための第２指示情報を受信することに用いられる。
【０１２１】
選択肢として、前記重複する時間領域リソースの情報は、前記重複する時間領域リソースの位置及び／又は時間領域の長さを含む。
【０１２２】
選択肢として、前記データ伝送はデータの受信及び／又はデータの送信を含む。
【０１２３】
選択肢として、前記伝送ユニット１３１０は具体的に、無線リソース制御ＲＲＣシグナリング、媒体アクセス制御ＭＡＣシグナリング又は物理層シグナリングによって前記第１指示情報を受信することに用いられる。
【０１２４】
選択肢として、前記複数の時間領域リソースの情報は、前記端末装置の専有情報、ベアラタイプ及びロジックチャネルタイプのうちの少なくとも１つに基づいて確定される。
【０１２５】
選択肢として、前記複数の時間領域リソース及び／又は重複する時間領域リソースは、前記端末装置と通信する複数のネットワーク装置が協議して確定するものである。
【０１２６】
図１４は本願の実施例によるネットワーク装置１４００のブロック模式図である。図１４に示すように、該ネットワーク装置１４００は確定ユニット１４１０と伝送ユニット１４２０を備え、
確定ユニット１４１０は、複数の時間領域リソースの情報を確定することに用いられ、前記複数の時間領域リソースのうちの異なる時間領域リソースにおいて、データを伝送するための周波数点が異なり、
伝送ユニット１４２０は、前記複数の時間領域リソースの情報を含む第１指示情報を端末装置に送信し、それにより前記端末装置が前記複数の時間領域リソースそれぞれに対応する周波数点に基づき、前記複数の時間領域リソースでデータ伝送を行うことに用いられる。
【０１２７】
従って、本願の実施例では、ネットワーク装置は異なる周波数点においてデータを伝送するための時間領域リソースを端末装置に設定することにより、端末装置は端末装置のハードウェアコスト及び消費電力を増加させることなく、異なる周波数点に基づいてデータ伝送を行うことができる。
【０１２８】
選択肢として、前記複数の時間領域リソースは時間領域で交互に分布する。
【０１２９】
選択肢として、前記複数の時間領域リソースの情報は前記複数の時間領域リソースそれぞれの時間領域開始位置を含む。
【０１３０】
選択肢として、前記複数の時間領域リソースは１つの時間領域周期を構成し、前記複数の時間領域リソースの情報は前記時間領域周期の長さ、及び前記時間領域周期における前記複数の時間領域リソースそれぞれの相対位置を含む。
【０１３１】
選択肢として、前記複数の時間領域リソースのうち各時間領域リソースの時間領域の長さは同じ又は異なる。
【０１３２】
選択肢として、前記複数の時間領域リソースのうち各時間領域リソースは複数の時間領域ユニットを含み、前記時間領域ユニットは無線フレーム、サブフレーム、タイムスロット、シンボル、伝送時間間隔のうちのいずれかを含む。
【０１３３】
選択肢として、前記複数の時間領域リソースに対応する複数の周波数点は、前記端末装置のサービングセルの周波数点及び／又は非サービングセルの周波数点を含む。
【０１３４】
選択肢として、前記複数の時間領域リソースは第１時間領域リソース及び第２時間領域リソースを含み、前記第１時間領域リソースは、前記端末装置が第１周波数点に基づいて前記第１ネットワーク装置とデータ伝送を行うことに用いられ、前記第２時間領域リソースは、前記端末装置が第２周波数点に基づいて第２ネットワーク装置とデータ伝送を行うことに用いられ、前記第１ネットワーク装置により保守される第１時間領域リソースと前記第２ネットワーク装置により保守される第２時間領域リソースとの間には重複する時間領域リソースが存在し、
前記ネットワーク装置は第１ネットワーク装置であり、前記伝送ユニット１４２０は更に、前記第１周波数点に基づいて前記重複する時間領域リソースで前記端末装置とデータ伝送を行うことを禁止し、それにより前記端末装置が前記第２周波数点に基づき、前記第２ネットワーク装置により保守される前記第２時間領域リソースで前記第２ネットワーク装置とデータ伝送を行うことに用いられる。
【０１３５】
選択肢として、前記伝送ユニット１４２０は更に、前記重複する時間領域リソースの情報を指示するための第２指示情報を前記端末装置に送信することに用いられる。
【０１３６】
選択肢として、前記重複する時間領域リソースの情報は、前記重複する時間領域リソースの位置及び／又は時間領域の長さを含む。
【０１３７】
選択肢として、前記データ伝送はデータの受信及び／又はデータの送信を含む。
【０１３８】
選択肢として、前記伝送ユニット１４２０は具体的に、無線リソース制御ＲＲＣシグナリング、媒体アクセス制御ＭＡＣシグナリング又は物理層シグナリングによって前記第１指示情報を送信することに用いられる。
【０１３９】
選択肢として、前記確定ユニット１４１０は具体的に、前記端末装置の専有情報、ベアラタイプ及びロジックチャネルタイプのうちの少なくとも１つに基づいて前記複数の時間領域リソースの情報を確定することに用いられる。
【０１４０】
選択肢として、前記複数の時間領域リソース及び／又は重複する時間領域リソースは、前記端末装置と通信する複数のネットワーク装置が協議して確定するものであり、前記複数のネットワーク装置は前記ネットワーク装置を含む。
【０１４１】
図１５は本願の実施例による端末装置１５００の構造模式図である。図１５に示すように、該端末装置は、内部接続経路を介して互いに通信するプロセッサ１５１０、送受信機１５２０及びメモリ１５３０を備える。該メモリ１５３０は命令を記憶することに用いられ、該プロセッサ１５１０は該メモリ１５３０に記憶されている命令を実行して、該送受信機１５２０による信号受信又は信号送信を制御することに用いられる。該送受信機１５２０は、
複数の時間領域リソースの情報を含む第１指示情報を受信し、前記複数の時間領域リソースのうちの異なる時間領域リソースにおいて、データを伝送するための周波数点は異なることと、
前記複数の時間領域リソースそれぞれに対応する周波数点に基づき、前記複数の時間領域リソースでデータ伝送を行うことと、に用いられる。
【０１４２】
従って、本願の実施例では、端末装置は端末装置のハードウェアコスト及び消費電力を増加させることなく、異なる周波数点に基づいてデータ伝送を行うことができる。
【０１４３】
選択肢として、前記複数の時間領域リソースは時間領域で交互に分布する。
【０１４４】
選択肢として、前記複数の時間領域リソースの情報は前記複数の時間領域リソースそれぞれの時間領域開始位置を含む。
【０１４５】
選択肢として、前記複数の時間領域リソースは１つの時間領域周期を構成し、前記複数の時間領域リソースの情報は前記時間領域周期の長さ、及び前記時間領域周期における前記複数の時間領域リソースそれぞれの相対位置を含む。
【０１４６】
選択肢として、前記複数の時間領域リソースのうち各時間領域リソースの時間領域の長さは同じ又は異なる。
【０１４７】
選択肢として、前記複数の時間領域リソースのうち各時間領域リソースは複数の時間領域ユニットを含み、前記時間領域ユニットは無線フレーム、サブフレーム、タイムスロット、シンボル、伝送時間間隔のうちのいずれかを含む。
【０１４８】
選択肢として、前記複数の時間領域リソースに対応する複数の周波数点は、前記端末装置のサービングセルの周波数点及び／又は非サービングセルの周波数点を含む。
【０１４９】
選択肢として、前記複数の時間領域リソースは第１時間領域リソース及び第２時間領域リソースを含み、前記第１時間領域リソースは、前記端末装置が第１周波数点に基づいて第１ネットワーク装置とデータ伝送を行うことに用いられ、前記第２時間領域リソースは、前記端末装置が第２周波数点に基づいて第２ネットワーク装置とデータ伝送を行うことに用いられ、前記第１ネットワーク装置により保守される第１時間領域リソースと前記第２ネットワーク装置により保守される第２時間領域リソースとの間には重複する時間領域リソースが存在し、
送受信機１５２０は具体的に、
前記第１周波数点に基づき、前記第１ネットワーク装置により保守される前記第１時間領域リソースで前記第１ネットワーク装置とデータ伝送を行い、前記第２周波数点に基づいて前記重複する時間領域リソースで前記第２ネットワーク装置とデータ伝送を行うことを禁止すること、又は、
前記第２周波数点に基づき、前記第２ネットワーク装置により保守される前記第２時間領域リソースで前記第２ネットワーク装置とデータ伝送を行い、前記第１周波数点に基づいて前記重複する時間領域リソースで前記第１ネットワーク装置とデータ伝送を行うことを禁止することに用いられる。
【０１５０】
選択肢として、送受信機１５２０は更に、前記重複する時間領域リソースの情報を指示するための第２指示情報を受信することに用いられる。
【０１５１】
選択肢として、前記重複する時間領域リソースの情報は、前記重複する時間領域リソースの位置及び／又は時間領域の長さを含む。
【０１５２】
選択肢として、前記データ伝送はデータの受信及び／又はデータの送信を含む。
【０１５３】
選択肢として、送受信機１５２０は具体的に、無線リソース制御ＲＲＣシグナリング、媒体アクセス制御ＭＡＣシグナリング又は物理層シグナリングによって前記第１指示情報を受信することに用いられる。
【０１５４】
選択肢として、前記複数の時間領域リソースの情報は、前記端末装置の専有情報、ベアラタイプ及びロジックチャネルタイプのうちの少なくとも１つに基づいて確定される。
【０１５５】
選択肢として、前記複数の時間領域リソース及び／又は重複する時間領域リソースは、前記端末装置と通信する複数のネットワーク装置が協議して確定するものである。
【０１５６】
なお、本願の実施例では、該プロセッサ１５１０は中央処理装置（Ｃｅｎｔｒａｌ  Ｐｒｏｃｅｓｓｉｎｇ  Ｕｎｉｔ、ＣＰＵ）であってもよく、該プロセッサ１５１０は他の汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）又は他のプログラマブルロジックデバイス、離散ゲート又はトランジスタロジックデバイス、個別ハードウェア部品等であってもよい。汎用プロセッサはマイクロプロセッサであってもよく、又は該プロセッサはいずれかの通常のプロセッサ等であってもよい。
【０１５７】
該メモリ１５３０は読み出し専用メモリ及びランダムアクセスメモリを含んでもよく、プロセッサ１５１０に命令及びデータを提供する。メモリ１５３０の一部は、不揮発性ランダムアクセスメモリを更に含んでもよい。
【０１５８】
実現過程において、上記方法の各ステップはプロセッサ１５１０内のハードウェアの集積論理回路又はソフトウェア形態の命令によって完了することができる。本願の実施例に開示されているデータ伝送方法のステップは、ハードウェアプロセッサによって直接に実行されてもよく、又はプロセッサ１５１０内のハードウェア及びソフトウェアモジュールの組み合わせによって実行されてもよい。ソフトウェアモジュールはランダムメモリ、フラッシュメモリ、読み出し専用メモリ、プログラマブル読み出し専用メモリ又は電気的消去可能プログラマブルメモリ、レジスタ等の本分野の成熟した記憶媒体に位置してもよい。該記憶媒体はメモリ１５３０に位置し、プロセッサ１５１０はメモリ１５３０内の情報を読み取り、そのハードウェアと組み合わせて上記方法のステップを完了する。繰り返しを回避するために、ここで詳細に説明しない。
【０１５９】
本願の実施例による端末装置１５００は上記方法２００において方法２００を実行するための端末装置、及び本願の実施例による端末装置１３００に対応してもよく、且つ該端末装置１５００における各ユニット又はモジュールはそれぞれ上記方法２００における端末装置の実行する各動作又は処理過程を実行することに用いられ、ここで、繰り返して説明することを回避するために、その詳細な説明を省略する。
【０１６０】
図１６は本願の実施例によるネットワーク装置１６００の構造模式図である。図１６に示すように、該ネットワーク装置は内部接続経路を介して互いに通信するプロセッサ１６１０、送受信機１６２０及びメモリ１６３０を備える。該メモリ１６３０は命令を記憶することに用いられ、該プロセッサ１６１０は該メモリ１６３０に記憶されている命令を実行して、該送受信機１６２０による信号受信又は信号送信を制御することに用いられる。該プロセッサ１６１０は、
複数の時間領域リソースの情報を確定し、前記複数の時間領域リソースのうちの異なる時間領域リソースにおいて、データを伝送するための周波数点が異なることに用いられ、
該送受信機１６２０は、前記複数の時間領域リソースの情報を含む第１指示情報を端末装置に送信し、それにより前記端末装置が前記複数の時間領域リソースそれぞれに対応する周波数点に基づき、前記複数の時間領域リソースでデータ伝送を行うことに用いられる。
【０１６１】
従って、本願の実施例では、ネットワーク装置は異なる周波数点においてデータを伝送するための時間領域リソースを端末装置に設定することにより、端末装置は端末装置のハードウェアコスト及び消費電力を増加させることなく、異なる周波数点に基づいてデータ伝送を行うことができる。
【０１６２】
選択肢として、前記複数の時間領域リソースは時間領域で交互に分布する。
【０１６３】
選択肢として、前記複数の時間領域リソースの情報は前記複数の時間領域リソースそれぞれの時間領域開始位置を含む。
【０１６４】
選択肢として、前記複数の時間領域リソースは１つの時間領域周期を構成し、前記複数の時間領域リソースの情報は前記時間領域周期の長さ、及び前記時間領域周期における前記複数の時間領域リソースそれぞれの相対位置を含む。
【０１６５】
選択肢として、前記複数の時間領域リソースのうち各時間領域リソースの時間領域の長さは同じ又は異なる。
【０１６６】
選択肢として、前記複数の時間領域リソースのうち各時間領域リソースは複数の時間領域ユニットを含み、前記時間領域ユニットは無線フレーム、サブフレーム、タイムスロット、シンボル、伝送時間間隔のうちのいずれかを含む。
【０１６７】
選択肢として、前記複数の時間領域リソースに対応する複数の周波数点は、前記端末装置のサービングセルの周波数点及び／又は非サービングセルの周波数点を含む。
【０１６８】
選択肢として、前記複数の時間領域リソースは第１時間領域リソース及び第２時間領域リソースを含み、前記第１時間領域リソースは、前記端末装置が第１周波数点に基づいて前記第１ネットワーク装置とデータ伝送を行うことに用いられ、前記第２時間領域リソースは、前記端末装置が第２周波数点に基づいて第２ネットワーク装置とデータ伝送を行うことに用いられ、前記第１ネットワーク装置により保守される第１時間領域リソースと前記第２ネットワーク装置により保守される第２時間領域リソースとの間には重複する時間領域リソースが存在し、
送受信機１６２０は、前記第１周波数点に基づいて前記重複する時間領域リソースで前記端末装置とデータ伝送を行うことを禁止し、それにより前記端末装置が前記第２周波数点に基づき、前記第２ネットワーク装置により保守される前記第２時間領域リソースで前記第２ネットワーク装置とデータ伝送を行うことに用いられる。
【０１６９】
選択肢として、送受信機１６２０は更に、前記重複する時間領域リソースの情報を指示するための第２指示情報を前記端末装置に送信することに用いられる。
【０１７０】
選択肢として、前記重複する時間領域リソースの情報は、前記重複する時間領域リソースの位置及び／又は時間領域の長さを含む。
【０１７１】
選択肢として、前記データ伝送はデータの受信及び／又はデータの送信を含む。
【０１７２】
選択肢として、送受信機１６２０は具体的に、無線リソース制御ＲＲＣシグナリング、媒体アクセス制御ＭＡＣシグナリング又は物理層シグナリングによって前記第１指示情報を送信することに用いられる。
【０１７３】
選択肢として、プロセッサ１６１０は具体的に、前記端末装置の専有情報、ベアラタイプ及びロジックチャネルタイプのうちの少なくとも１つに基づいて前記複数の時間領域リソースの情報を確定することに用いられる。
【０１７４】
選択肢として、前記複数の時間領域リソース及び／又は重複する時間領域リソースは、前記端末装置と通信する複数のネットワーク装置が協議して確定するものであり、前記複数のネットワーク装置は前記ネットワーク装置を含む。
【０１７５】
なお、本願の実施例では、該プロセッサ１６１０は中央処理装置（Ｃｅｎｔｒａｌ  Ｐｒｏｃｅｓｓｉｎｇ  Ｕｎｉｔ、ＣＰＵ）であってもよく、該プロセッサ１６１０は他の汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブルロジックデバイス、離散ゲート又はトランジスタロジックデバイス、個別ハードウェア部品等であってもよい。汎用プロセッサはマイクロプロセッサであってもよく、又は該プロセッサはいずれかの通常のプロセッサ等であってもよい。
【０１７６】
該メモリ１６３０は読み出し専用メモリ及びランダムアクセスメモリを含んでもよく、プロセッサ１６１０に命令及びデータを提供する。メモリ１６３０の一部は、不揮発性ランダムアクセスメモリを更に含んでもよい。実現過程において、上記方法の各ステップはプロセッサ１６１０内のハードウェアの集積論理回路又はソフトウェア形態の命令によって完了することができる。本願の実施例に開示されているデータ伝送方法のステップは、ハードウェアプロセッサによって直接に実行されてもよく、又はプロセッサ１６１０内のハードウェア及びソフトウェアモジュールの組み合わせによって実行されてもよい。ソフトウェアモジュールは、ランダムメモリ、フラッシュメモリ、読み出し専用メモリ、プログラマブル読み出し専用メモリ又は電気的消去可能プログラマブルメモリ、レジスタ等の本分野の成熟した記憶媒体に位置してもよい。該記憶媒体はメモリ１６３０に位置し、プロセッサ１６１０はメモリ１６３０内の情報を読み取り、そのハードウェアと組み合わせて上記方法のステップを完了する。繰り返しを回避するために、ここで詳細に説明しない。
【０１７７】
本願の実施例によるネットワーク装置１６００は上記方法１２００において方法１２００を実行するためのネットワーク装置、及び本願の実施例によるネットワーク装置１４００に対応してもよく、且つ該ネットワーク装置１６００内の各ユニット又はモジュールはそれぞれ上記方法１２００におけるネットワーク装置の実行する各動作又は処理過程を実行することに用いられ、ここで、繰り返して説明することを回避するために、その詳細な説明を省略する。
【０１７８】
図１７は本願の実施例のシステムチップの構造模式図である。図１７のシステムチップ１７００は内部接続経路を介して互いに接続される入力インタフェース１７０１、出力インタフェース１７０２、少なくとも１つのプロセッサ１７０３、メモリ１７０４を備える。前記プロセッサ１７０３は前記メモリ１７０４内のコードを実行することに用いられる。
【０１７９】
選択肢として、前記コードが実行されるとき、前記プロセッサ１７０３は方法実施例における端末装置の実行する方法２００を実現することができる。簡潔のために、ここで繰り返して説明しない。
【０１８０】
選択肢として、前記コードが実行されるとき、前記プロセッサ１７０３は方法実施例におけるネットワーク装置の実行する方法１２００を実現することができる。簡潔のために、ここで繰り返して説明しない。
【０１８１】
当業者であれば、本明細書に開示されている実施例に説明された各例示的なユニット及びアルゴリズムステップは、電子ハードウェア、又はコンピュータソフトウェアと電子ハードウェアとの組み合わせで実現できることを理解できる。これらの機能がハードウェアそれともソフトウェア形態で実行されるかは、技術案の特定応用及び設計制約条件に決められる。当業者は各特定の応用に対して異なる方法で説明された機能を実現することができるが、この実現は本願の範囲を超えると見なされるべきではない。
【０１８２】
当業者は、説明の便宜及び簡潔のために、上記説明されたシステム、装置及びユニットの具体的な作動過程が、前述の方法実施例の対応する過程を参照することができることを明確に理解でき、ここで繰り返して説明しない。
【０１８３】
本願によるいくつかの実施例では、開示されたシステム、装置及び方法は、他の方式で実現できることを理解されるべきである。例えば、上記説明された装置実施例は例示的なものに過ぎず、例えば、該ユニットの分割は、ロジック機能の分割だけであり、実際の実現時に別の分割方法を有することができ、例えば、複数のユニット又は構成要素を組み合わせてもよく、又は別のシステムに集積してもよく、又は一部の特徴を無視してもよく、又は実行しなくてもよい。また、図示又は検討される相互結合又は直接結合又は通信接続は、あるインタフェース、装置又はユニットを介した間接結合又は通信接続であってもよく、電気的、機械的又は他の形態のものであってもよい。
【０１８４】
別々の部材として説明される該ユニットは、物理的に分離されてもよく、物理的に分離されなくてもよく、ユニットとして示される部材は、物理ユニットであってもよく、物理ユニットでなくてもよく、即ち、１つの場所に位置してもよく、又は複数のネットワークユニットに分布してもよい。実際の需要に応じてそのうちの一部又は全部ユニットを選択して本実施例の技術案の目的を実現することができる。
【０１８５】
また、本願の各実施例における各機能ユニットは１つの監視ユニットに集積されてもよく、各ユニットは単独で物理的に存在してもよく、２つ又は２つ以上のユニットは１つのユニットに集積されてもよい。
【０１８６】
該機能は、ソフトウェア機能ユニットの形態で実現され、独立した製品として販売又は使用される場合、１つのコンピュータ可読記憶媒体に記憶されることができる。このような理解に基づき、本願の技術案、又は従来技術に寄与する部分、又は該技術案の一部は、ソフトウェア製品の形態で実施することができ、該コンピュータソフトウェア製品は１つの記憶媒体に記憶され、１つのコンピュータ装置（パーソナルコンピュータ、サーバ、又はネットワーク装置等であってもよい）に本願の各実施例に記載の方法の全部又は一部のステップを実行させるための複数の命令を含む。前述の記憶媒体は、Ｕディスク、モバイルディスク、読み出し専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク又は光ディスク等のプロクラムコードを記憶できる様々な媒体を含む。
【０１８７】
以上は本願の実施形態に過ぎず、本願の実施例の保護範囲を制限するためのものではない。当業者が本願の実施例に開示された技術範囲内に容易に想到し得る変化や置換は、本願の実施例の保護範囲内に含まれる。従って、本願の実施例の保護範囲は請求項の保護範囲を基準とすべきである。
【図１】
0006968909.tif 000002
【図２】
0006968909.tif 000003
【図３】
0006968909.tif 000004
【図４】
0006968909.tif 000005
【図５】
0006968909.tif 000006
【図６】
0006968909.tif 000007
【図７】
0006968909.tif 000008
【図８】
0006968909.tif 000009
【図９】
0006968909.tif 000010
【図１０】
0006968909.tif 000011
【図１１】
0006968909.tif 000012
【図１２】
0006968909.tif 000013
【図１３】
0006968909.tif 000014
【図１４】
0006968909.tif 000015
【図１５】
0006968909.tif 000016
【図１６】
0006968909.tif 000017
【図１７】
0006968909.tif 000018